(57)【要約】【課題】作業性を向上させて工期を大幅に短縮できる既存建物の解体工法を提供する。【解決手段】既存建物１１の解体工法であって、該既存建物１１の地上部分１の解体時に、地下部分１７の既存外壁部１６から内側へ所定の間隔を開けた位置に仮設土圧壁１４を構築し、該仮設土圧壁１４と既存外壁部１６との間に埋戻し土１５を充填して、土圧を既存外壁部１６から仮設土圧壁１４に受け替え、既存建物１１の地下部分１７の解体時に、新築地下外壁部の地中障害物２７撤去工事を行うことである。【選択図】図２
2011017188.tif 000002
【特許請求の範囲】
【請求項１】
既存建物の解体工法であって、
該既存建物の地上部分の解体時に、地下部分の既存外壁部から内側へ所定の間隔を開けた位置に仮設土圧壁を構築し、
該仮設土圧壁と前記既存外壁部との間に埋戻し土を充填して、土圧を前記既存外壁部から前記仮設土圧壁に受け替え、
前記既存建物の地下部分の解体時に、新築地下外壁部の地中障害物撤去工事を行うこと
を特徴とする既存建物の解体工法。
【請求項２】
仮設土圧壁の構築及び埋戻し土の充填は、最下階から上階に沿って順次各階毎に行うこと
を特徴とする請求項１に記載の既存建物の解体工法。
【請求項３】
埋戻し土の充填は、各階の上部スラブの一部を解体して、当該解体孔から行うこと
を特徴とする請求項１に記載の既存建物の解体工法。
【請求項４】
仮設土圧壁には、補強用の控え壁を設けること
を特徴とする請求項１に記載の既存建物の解体工法。
【発明の詳細な説明】
【技術分野】
【０００１】
本発明は、既存建物の解体工法に関するものである。
【背景技術】
【０００２】
従来の既存建物の解体工法としては、次のような解体工法が知られている。即ち、図９（イ）（ロ）に示すように、先ず既存建物１１の地上部分１２を解体してから、地下部分１の既存外壁部２が自立できる範囲３を解体せずに存置させて、当該範囲３よりも中央部側の構造物４を解体する。
その後、ＧＬ（ground  line）まで全面的に埋戻してから、新築地下外壁部の地中障害物撤去工事を行い、山留め工事を行う。
【０００３】
なお、特開２０００−２０４５７４号公報には、既設の地下外壁部を解体しつつ新たな地下構造物を構築できるようにした地下構造物の改築方法が開示されている（特許文献１参照）。
【先行技術文献】
【特許文献】
【０００４】
【特許文献１】特開２０００−２０４５７４号公報
【発明の概要】
【発明が解決しようとする課題】
【０００５】
従来例の解体工法においては、既存外壁部２が自立できる範囲３を解体せずに存置させるので、解体できる範囲が制限されることとなり、結果的に工期が長く掛かるという問題点を有している。
【０００６】
また、中央部側の構造物４を解体してから、ＧＬまで全面的に埋戻して、その後に新築地下外壁部の地中障害物撤去工事等を行うので、これも工期が長く掛かることとなる。
【０００７】
このことから、従来例における解体工法においては、作業性を向上させて工期を短縮することに解決しなければならない課題を有している。
【課題を解決するための手段】
【０００８】
前記従来例の課題を解決するための本発明の要旨は、既存建物の解体工法であって、該既存建物の地上部分の解体時に、地下部分の既存外壁部から内側へ所定の間隔を開けた位置に仮設土圧壁を構築し、該仮設土圧壁と前記既存外壁部との間に埋戻し土を充填して、土圧を前記既存外壁部から前記仮設土圧壁に受け替え、前記既存建物の地下部分の解体時に、新築地下外壁部の地中障害物撤去工事を行うことである。
【０００９】
また、前記仮設土圧壁の構築及び埋戻し土の充填は、最下階から上階に沿って順次各階毎に行うこと、；
前記埋戻し土の充填は、各階の上部スラブの一部を解体して、当該解体孔から行うこと、；
前記仮設土圧壁には、補強用の控え壁を設けること、；
を含むものである。
【発明の効果】
【００１０】
本発明に係る既存建物の解体工法によれば、地中の土圧を既存外壁部から仮設土圧壁に受け替えたので、当該既存外壁部の自立を可能にし、従来例のようにＧＬまでの埋戻しを行わなくても新築地下外壁部の地中障害物撤去工事を行えることとなり、工期の大幅な短縮が図れるという優れた効果を奏する。
【００１１】
また、仮設土圧壁の構築及び埋戻し土の充填は、最下階から上階に沿って順次各階毎に行うと共に、埋戻し土の充填は、各階の上部スラブの一部を解体して、当該解体孔から行うことによって、各階の埋戻し土の充填性が高まり、外壁部からの土圧をしっかりと受けることができるという優れた効果を奏する。
【００１２】
そして、仮設土圧壁には、補強用の控え壁を設けることによって、仮設土圧壁の強度が向上するという優れた効果を奏する。
【図面の簡単な説明】
【００１３】
【図１】仮設土圧壁１４の構築を説明する既存建物１１の断面図である。
【図２】（イ）地中障害物２７の撤去工事を説明する既存建物１１の断面図である。（ロ）本発明に係る既存建物１１の解体工法を説明するフローチャート図である。
【図３】連続壁２８の工事を説明する断面図である。
【図４】仮設土圧壁１４の横断面図である。
【図５】仮設土圧壁１４及び既存スラブ２１の縦断面図である。
【図６】外壁部１６及び仮設土圧壁１４の縦断面図である。
【図７】各階における外壁部１６及び仮設土圧壁１４の縦断面図である。
【図８】図６のＡ−Ａ線断面図である。
【図９】（イ）従来例の解体工法を説明する既存建物１１の断面図である。（ロ）従来例の解体工法の作業手順を説明するフローチャート図である。
【発明を実施するための形態】
【００１４】
既存建物を解体するに際して、工期を短縮するという目的を、地中の土圧を既存外壁部から仮設土圧壁に受け替えて、当該既存外壁部の自立を可能にし、従来例のようにＧＬまでの埋戻しを行わなくても新築地下外壁部の地中障害物撤去工事を行えるようにしたことにより実現した。
【００１５】
次に、本発明の実施の形態について図面を参照しながら説明する。まず、図１は、既存建物１１の断面図であって、この既存建物１１の地上部分１２の解体時に、地下部分１７の既存外壁部１６から内側へ所定の間隔を開けた位置に仮設土圧壁１４を構築する（図２（ロ）参照）。
【００１６】
そして、仮設土圧壁１４と既存外壁部１６との間に埋戻し土１５を充填して、土圧を既存外壁部１６から仮設土圧壁１４に受け替え、既存外壁部１４の自立を可能にする。
【００１７】
地上部分１２の解体完了後には、図２（イ）に示すように、地下部分１７の解体を行うと共に、新築地下外壁部の地中障害物２７の撤去工事を行う（図２（ロ）参照）。この場合、上記のように既存外壁部１６の自立が可能であり、ＧＬまでの埋戻しを行わなくても地中障害物２７の撤去工事が行える。
【００１８】
地中障害物２７の撤去工事の終了後は、図３に示すように、当該部位の埋戻し１３が完了後に連続壁２８の工事（山留め工事）に着手する（図２（ロ）参照）。即ち、重機の搬入後、オーガで掘削を行い、セメントミルクを投入し、Ｈ鋼を打ち込み、連続壁２８の形成等の工程を行い、更には、逆打ち工法で新規の建物を構築する。
【００１９】
次に、仮設土圧壁１４及び控え壁１４ａの構築方法について説明する。既存外壁部１６から所定の間隔を開けた位置に、図４及び図５に示すように、鉄筋１９を配筋して、型枠２０を設置する。既存外壁部１６から仮設土圧壁１４の間隔は、一例を上げると１００〜２００ｃｍ程度である。
【００２０】
上部の既存スラブ２１には、コア抜きして貫通孔２２を設け、この貫通孔２２に鉄筋２３を挿通させて、この鉄筋２３を下階の鉄筋２４と上階の鉄筋２５とにジョイントさせる（図５参照）。このように構成することにより、アンカーコストが低減できるだけでなく、貫通孔２２がコンクリート打設時に空気抜き孔としての役目を果たすので、コンクリートの充填性を向上させることができる。そして、貫通孔２９からコンクリートを打設して、仮設土圧壁１４及び控え壁１４ａを構築する。
【００２１】
次に、図６に示すように、上部スラブ１８の一部を解体して解体孔２６を形成し、この解体孔２６から埋戻し土１５を充填する。埋戻し土１５は、具体的には、土とセメントを混合した流動化処理土、又は良質な埋戻し用の土を用いる。
【００２２】
上記の仮設土圧壁１４及び控え壁１４ａの構築作業と、埋戻し土１５の充填作業とを、最下階から上階に沿って順次各階毎に行う。最下階から地下１階まで、連続した状態で仮設土圧壁１４及び控え壁１４ａの構築と埋戻し土１５の充填とがなされて（図７参照）、仮設土圧壁１４が既存外壁部１６からの土圧をしっかりと受けることができる。
【００２３】
また、図８に示すように、仮設土圧壁１４には、所定の間隔を開けて補強用の控え壁１４ａが形成されるので、仮設土圧壁１４の強度が向上することとなる。
【００２４】
以上のように、既存建物１１の解体工法は、仮設土圧壁１４を構築して地中の土圧を既存外壁部１６から仮設土圧壁１４に受け替えたので、当該既存外壁部１６の自立が可能であり、ＧＬまでの埋戻しを行わなくても新築地下外壁部の地中障害物撤去工事を行えることとなり、工期の大幅な短縮が図れるのである。
【符号の説明】
【００２５】
１    地下部分
２    既存外壁部
３    自立できる範囲
４    中央部側の構造物
１１  既存建物
１２  地上部分
１３  埋戻し
１４  仮設土圧壁
１４ａ控え壁
１５  埋戻し土
１６  既設外壁部
１７  地下部分
１８  上部スラブ
１９  鉄筋
２０  型枠
２１  既存スラブ
２２  貫通孔
２３、２４、２５  鉄筋
２６  解体孔
２７  地中障害物
２８  連続壁
２９  貫通孔
【図１】
2011017188.tif 000003
【図２】
2011017188.tif 000004
【図３】
2011017188.tif 000005
【図４】
2011017188.tif 000006
【図５】
2011017188.tif 000007
【図６】
2011017188.tif 000008
【図７】
2011017188.tif 000009
【図８】
2011017188.tif 000010
【図９】
2011017188.tif 000011